(57)【特許請求の範囲】
【請求項１】
伝搬路の状態に応じた変調パラメータを選択して送信するＡＭＣ方式と、パケットデータに誤りがあった場合、再送データを送信し、その前に受信した誤りのあるパケットデータを合成してデータを再生するＨ−ＡＲＱ方式とを組み合わせて用いるパケット送受信方法において、
ＡＭＣ制御により決定した初回に送信したパケットデータの変調パラメータと再送パケットデータを送信する時の受信品質を基にＡＭＣ制御により決定する変調パラメータとを比較し、
該比較の結果、前記再送時の受信品質に基いてＡＭＣ制御により決定する変調パラメータが初回送信時のものより低伝搬路品質でない場合、パケットデータを再送した回数を示す第１のカウント値が所定の最大再送回数より小さい時には、パケットデータを再送し、
該比較の結果、前記ＡＭＣ制御により決定する変調パラメータが初回送信時のものより低伝搬路品質であった場合、前記第１のカウント値とは異なる第２のカウント値を用いてパケットデータの再送回数を計数し、前記第２のカウント値が所定の保護回数Ｎよりも小さい時にパケットデータを再送し、
前記第２のカウント値は、前記再送時の受信品質に基いてＡＭＣ制御により決定する変調パラメータが初回送信時のものより低伝搬路品質でない場合にリセットされるように構成したことを特徴とするパケット送受信方法。
【請求項２】
伝搬路の状態に応じた変調パラメータを選択して送信するＡＭＣ方式と、パケットデータに誤りがあった場合、再送データを送信し、その前に受信した誤りのあるパケットデータを合成してデータを再生するＨ−ＡＲＱ方式とを組み合わせて用いるパケット送受信装置において、
ＡＭＣ制御により決定した初回に送信したパケットデータの変調パラメータと再送パケットデータを送信する時の受信品質を基にＡＭＣ制御により決定する変調パラメータとを比較する比較手段と、
該比較の結果、前記再送時の受信品質に基いてＡＭＣ制御により決定する変調パラメータが初回送信時のものより低伝搬路品質でない場合、パケットデータを再送した回数を示す第１のカウント値が所定の最大再送回数より小さい時には、パケットデータを再送し、
該比較の結果、前記ＡＭＣ制御により決定する変調パラメータが初回送信時のものより低伝搬路品質であった場合、前記第１のカウント値とは異なる第２のカウント値を用いてパケットデータの再送回数を計数し、前記第２のカウント値が所定の保護回数Ｎよりも小さい時にパケットデータを再送する再送制御手段と、
を有し、
前記第２のカウント値は、前記再送時の受信品質に基いてＡＭＣ制御により決定する変調パラメータが初回送信時のものより低伝搬路品質でない場合にリセットされるように構成されることを特徴とするパケット送受信装置。
【発明の詳細な説明】
【技術分野】
【０００１】
本発明はパケット伝送を行なう移動通信システムにおいて、伝搬路状態に応じてパケットを効率的に送信するためのパケット送受信方法及び装置に関する。
【背景技術】
【０００２】
移動通信システムは、マルチメディアやインターネットへの対応が必要となり、様々な品質や伝送レートを効率よく伝送することが要望されている。効率的な伝送を行なう手段としてＡＭＣ（Adaptive Modulation and Coding）やＨ-ＡＲＱ（Hybrid Automatic Repeat Request）がある。以下に、ＡＭＣ方式とＨ−ＡＲＱ方式の動作について説明する。
１）ＡＭＣ方式
無線伝搬路は刻一刻と変化するために、伝送路の状態に合わせた信号の送信が必要となってくる。その一例として、変調パラメータ（変調方式、符号化率、拡散率等）を伝搬路状態に合わせて変える方法がある。ここで、符号化率とは送信するデータを符号化して出力する時の符号化に関する値であり、例えばある信号を符号化して３個に拡大する場合の符号化率は１／３であるという。拡散率は、符号化された信号を複数にコピーして伝搬し、受信局側で合成して元のデータを再生する場合のコピーの数をいう。例えば、１つの信号を２系統に分けて伝搬する場合、拡散率は２であるという。
【０００３】
この方法はＡＭＣ（適応変調又は適応変復調）と呼ばれる。送受信データは、一般的に各種の多値変調方式により変調され、誤り訂正が施される。伝搬路状態が良い場合は、多値数を増やし、符号化率を１に近づけることで送信データを増加させ伝送スループットを高くする。そのため、伝送誤り率に対する耐力は弱くなる。
【０００４】
逆に、伝搬路状態が悪い場合は、多値数を減らし、符号化率を小さくすることで、送信データ量を減らし、伝送誤り率の上昇を防止することができる。このように、伝搬路の状態に応じて変調パラメータを変えることで、伝送誤りの上昇が抑えられ効率的な伝送が可能となる。
２）Ｈ-ＡＲＱ方式
受信したパケットを再度送信する再送方式がある。受信側では、受信したパケットが正確に復号されているかどうかの判定を行ない、受信成功（ＡＣＫ）／失敗（ＮＡＣＫ）を送信側に通知する。送信側では、送信したパケットのデータ情報をバッファに蓄えており、受信失敗の通知があった場合、そのパケットを再送する。
【０００５】
更に、再送信号の受信品質を改善させるために、受信側でデータを合成する方法がある。受信側では、受信に失敗し、ＮＡＣＫとなった誤りを含むパケットデータをバッファに蓄積する。そして、再送されてきたパケットを受信した際に、バッファ内のデータと再送データとを合成する。データの合成とは、１回目のデータと２回目のデータとを足して割ることで、受信品質が改善される。この場合、再送回数が増えるほど改善の度合いが高くなり、パケット受信の成功率が高まる。
【０００６】
従来のこの種の技術としては、再送パケット信号に付加されている第１のパラメータとバッファから取り出したパケットデータに付加されている第２のパラメータとを比較し、比較により再送時の伝搬路状態が悪い場合、バッファから取り出したパケットデータの一部を取り出して再送パケットと合成し、復号部でこの合成結果に基づいて復号処理を行なう技術が知られている（例えば特許文献１参照）。
【０００７】
また、受信するパケットのヘッダ部分に含まれるサービスクラス単位に、制御方法を設定し、受信パケットの格納を行なうバッファメモリにおける各サービスクラスについての割り当て領域を前記サービスクラスの設定数に応じて変更する技術が知られている（例えば特許文献２参照）。
【特許文献１】特開２００５−３３３９９号公報（段落００２３〜００３１、図１、図３、図５）
【特許文献２】特開２００４−１８００１９号公報（段落００３１〜００５０、図１〜図６）
【発明の開示】
【発明が解決しようとする課題】
【０００８】
伝搬路状態に応じて変調パラメータを変えて信号を伝送するＡＭＣにおいて、受信に失敗したパケットを再送する場合、初回送信時と同一の変調パラメータで信号変調されたパケットを送信することになる。これは、受信側において初回時と再送時のパケットデータを合成しなければならず、変調パラメータが変わると合成できなくなるためである。
【０００９】
そこで、初回送信時よりも再送時の伝搬路状態が悪い場合、再送データは伝搬路状態が良い時の変調パラメータで再送されるため、多くの受信誤りが発生し、合成による品質改善が望めなくなる。このような場合、再送合成を継続してパケットを正常に受信することができず、無駄に無線リソースを使用してしまうことになる。
【００１０】
本発明はこのような課題に鑑みてなされたものであって、パケットの初回送信時と再送時の伝搬路状態が異なった場合に、無駄な再送パケットの送信を防ぎ、効率的な無線リソースの使用を可能とするパケット送受信方法及び装置を提供することを目的としている。
【課題を解決するための手段】
【００１１】
（１）請求項１記載の発明は、伝搬路の状態に応じた変調パラメータを選択して送信するＡＭＣ方式と、パケットデータに誤りがあった場合、再送データを送信し、その前に受信した誤りのあるパケットデータを合成してデータを再生するＨ−ＡＲＱ方式とを組み合わせて用いるパケット送受信方法において、ＡＭＣ制御により決定した初回に送信したパケットデータの変調パラメータと再送パケットデータを送信する時の受信品質を基にＡＭＣ制御により決定する変調パラメータとを比較し、該比較の結果、前記再送時の受信品質に基いてＡＭＣ制御により決定する変調パラメータが初回送信時のものより低伝搬路品質でない場合、パケットデータを再送した回数を示す第１のカウント値が所定の最大再送回数より小さい時には、パケットデータを再送し、該比較の結果、前記ＡＭＣ制御により決定する変調パラメータが初回送信時のものより低伝搬路品質であった場合、前記第１のカウント値とは異なる第２のカウント値を用いてパケットデータの再送回数を計数し、前記第２のカウント値が所定の保護回数Ｎよりも小さい時にパケットデータを再送し、前記第２のカウント値は、前記再送時の受信品質に基いてＡＭＣ制御により決定する変調パラメータが初回送信時のものより低伝搬路品質でない場合にリセットされるように構成したことを特徴とする。
【００１２】
（２）請求項２記載の発明は、伝搬路の状態に応じた変調パラメータを選択して送信するＡＭＣ方式と、パケットデータに誤りがあった場合、再送データを送信し、その前に受信した誤りのあるパケットデータを合成してデータを再生するＨ−ＡＲＱ方式とを組み合わせて用いるパケット送受信装置において、ＡＭＣ制御により決定した初回に送信したパケットデータの変調パラメータと再送パケットデータを送信する時の受信品質を基にＡＭＣ制御により決定する変調パラメータとを比較する比較手段と、該比較の結果、前記再送時の受信品質に基いてＡＭＣ制御により決定する変調パラメータが初回送信時のものより低伝搬路品質でない場合、パケットデータを再送した回数を示す第１のカウント値が所定の最大再送回数より小さい時には、パケットデータを再送し、該比較の結果、前記ＡＭＣ制御により決定する変調パラメータが初回送信時のものより低伝搬路品質であった場合、前記第１のカウント値とは異なる第２のカウント値を用いてパケットデータの再送回数を計数し、前記第２のカウント値が所定の保護回数Ｎよりも小さい時にパケットデータを再送する再送制御手段と、を有し、前記第２のカウント値は、前記再送時の受信品質に基いてＡＭＣ制御により決定する変調パラメータが初回送信時のものより低伝搬路品質でない場合にリセットされるように構成したことを特徴とする。
【発明の効果】
【００１６】
（１）請求項１記載の発明によれば、再送時の変調パラメータが初回送信時の変調パラメータが初回時のものよりも低伝搬路品質のものであった場合に、再送を停止することにより、無駄な再送パケットの送信を防ぎ、効率的な無線リソースの使用を可能とすることができる。
【００１７】
（２）請求項２記載の発明によれば、再送時の変調パラメータと初回送信時の変調パラメータとを比較手段により比較し、再送時の変調パラメータが初回時のものよりも低伝搬路品質のものであった場合に、再送を停止することにより、無駄な再送パケットの送信を防ぎ、効率的な無線リソースの使用を可能とすることができる。
【００２１】
以上の発明の構成における再送の原因としては、基本的に伝送路の品質劣化に伴うデータパケットの受信エラーを想定している。他の再送要因としては、パケットデータと共に送信される制御チャネルデータの受信エラー、装置の送受信特性に起因する瞬時的な特性劣化（装置固有の特性）による受信データエラー等が考えられるが、受信局側のベースバンド処理部からみた場合、いずれも伝送路の品質劣化が原因とみなせる。
【発明を実施するための最良の形態】
【００２２】
以下、図面を参照して本発明の実施の形態例を詳細に説明する。図１は本発明の第１の実施の形態例を示すブロック図である。図に示す装置は、伝搬路状態に応じて再送回数を制御するパケット送受信装置を示すものである。図において、２０は送信局、３０は受信局である。送信局２０と受信局３０間は無線で送受信される。
【００２３】
送信局２０において、１は送信データ、２は該送信データを一時的に格納する送信データバッファ、３は送信データを変調する変調部、４は該変調部３で変調されたデータを送信する送信部である。５は送信データバッファ２に格納されているデータの再送制御を行なう再送制御部、６は受信局３０からの伝搬路品質データを受けて変調部３の変調パラメータを決めるＡＭＣ制御部である。
【００２４】
該ＡＭＣ制御部６の出力は、変調部３と再送制御部５とＡＭＣ比較部７に与えられている。７は再送制御部５及びＡＭＣ制御部６の出力とを受けて先の送信時と、今回送信時における変調パラメータを比較して再送制御部５を制御するＡＭＣ比較部である。
【００２５】
受信局３０において、８は送信局２０から送られてきたデータを受ける受信部、９は該受信部８で受信されたデータを復調する復調部、１２は受信部８の出力を受けて伝搬路の品質を測定する品質測定部である。該品質測定部１２の出力は、例えばＳＩＲ等であり、送信局２０のＡＭＣ制御部６に通知される。
【００２６】
１３は復調部９の出力を受けて再送されてきたデータを読取り、読取り結果に基づいて制御を行なう再送制御部、１０は復調部９で復調されたデータに対して、再送制御部１３から与えられる制御データを基に再送データの合成を行なう再送合成部である。１４は再送合成部１０で合成されたデータを一時的に格納する合成データバッファ、１１は再送合成部１０で合成されたデータを判定するデータ判定部である。該データ判定部１１からはＡＣＫ信号、ＮＡＣＫ信号が送信局２０の再送制御部５に与えられる。前記再送制御部１３の制御信号は合成データバッファ１４にも与えられている。
【００２７】
図２は送信局から受信局へのデータフォーマット例を示す図である。送信データは、パイロット部５０と、再送制御データ部５１とデータ部５２から構成されている。この内、再送制御データ部５１は、パケット番号５１ａと、変調パラメータ５１ｂと、再送回数５１ｃから構成されている。パケット番号５１ａはデータを識別するために付与する番号、変調パラメータ５１ｂはデータを変調した時のパラメータ、再送回数５１ｃは何回目の再送かまたは再送終了かを示す。このように構成された装置の動作を説明すれば、以下の通りである。
【００２８】
図３は送信局の動作を示すフローチャート、図４は受信局の動作を示すフローチャートである。図３、図４において、「最大再送回数」とあるが、一般的に該当する送受信装置に実装する再送バッファ容量等の制限により、再送データの格納数が限られてくるところからくる再送処理が実行可能な回数を意味するものであり、ここでは説明上、最大再送回数に達した場合に再送処理を終了するという位置づけとしている。
（送信局の動作）
送信局２０において、再送制御部５は受信局３０から送られてくるＡＣＫ／ＮＡＣＫ情報により初回送信データか再送データかを決定する（Ｓ１）。データがＡＣＫ（新規データ）である場合再送制御部５は送信データ１を、データがＮＡＣＫである場合、送信データバッファ２のデータを選択する。
【００２９】
初回送信データの場合、送信データを送信データバッファ２に格納する（Ｓ２）。ＡＭＣ制御部６において、受信局３０からの伝搬路品質情報を受けて送信データの変調パラメータを決定し（Ｓ３）、再送制御部５と変調部３に通知する。再送制御部５では、変調パラメータを送信データバッファ２に格納し（Ｓ４）、再送制御データ５１を送信データに付加する（Ｓ５）。その後、送信データは続く変調部３で選択された変調パラメータで変調され（Ｓ６）、送信部４より送信される（Ｓ７）。
【００３０】
受信局３０から送られてくるデータが再送データであった場合（前記ＡＣＫ又はＮＡＣＫにより判定）、再送制御部５は再送回数をインクリメントし（Ｓ８）、初回送信時の送信データと変調パラメータを送信データバッファ２より読み出す（Ｓ９）。そして、今回の変調パラメータを判定する（Ｓ１０）。具体的には、ＡＭＣ制御部６で決定された変調パラメータと、初回送信時の変調パラメータをＡＭＣ比較部７で比較する（Ｓ１１）。比較結果により、以下の２つの動作となる。
１）今回の変調パラメータが初回送信時の変調パラメータと同じかよい場合（初回送信時よりも伝搬路状態が悪くなっていない場合：初回≦今回）、再送制御部５は最大再送回数でない場合には、再送回数をインクリメントした再送制御データを送信データに付加し（Ｓ５）、変調部３で変調し（Ｓ６）、送信部４より送信する（Ｓ７）。また、再送回数をインクリメントした場合、最大再送回数になった場合は、送信データバッファ２をクリアしてその送信データの再送制御が終了する（Ｓ１３）。
２）今回の変調パラメータが初回送信時の変調パラメータより悪い場合（初回送信時よりも伝搬路状態が悪くなっている場合：初回＞今回）、再送終了と判定する回数Ｒをカウントする（Ｓ１４）。ここで、回数Ｒは、図３のシーケンスで初回＞今回と連続で判定した回数のことである。判定結果が前記１）の場合にはＲカウント値はリセットされる。
【００３１】
次に、再送制御部５はＲカウント値≧保護段数Ｎの条件が満たされた場合、再送回数を再送終了を示す値（最大再送回数）に設定し（Ｓ１６）、再送制御データを送信データに付加し（Ｓ５）、変調部３で変調し（Ｓ６）、送信部４より送信する（Ｓ７）。また、送信データバッファ２をクリアし再送を終了する（強制終了。Ｓ１７）。
（受信局の動作）
受信局３０においては、受信部８でデータを受信すると（Ｓ１）、品質測定部１２で品質を測定し（Ｓ２）、送信局２０に対して品質情報を送信する（Ｓ３）。また、受信データは、復調部９にて復調され、再送制御部１３は受信データから再送制御データ５１を抽出する（Ｓ４）。
【００３２】
そして、再送制御データ５１から受信したデータが再送データであるかどうかチェックする（Ｓ５）。再送データでなかった場合、即ち初期送信データであった場合には、データ判定部１１にてデータの正常性を判定する（Ｓ６）。判定の結果、データが正常であった場合には、送信局２０に対してＡＣＫを送信する（Ｓ７）。判定の結果、データが正常でなかった場合には、送信局２０に対してＮＡＣＫ送信を行ない（Ｓ８）、エラーとなった受信データを再送合成部１０で前のデータと合成し、受信データと共に合成データバッファ１４に格納する（Ｓ９）。
【００３３】
ステップＳ５において、受信データが再送データであった場合、再送合成部１０は合成データバッファ１４に格納されているデータを取り出し（Ｓ１０）、受信したデータとのデータ合成を行なう（Ｓ１１）。そして、ステップＳ６でデータ判定を行ない、送信局２０に対してＡＣＫ／ＮＡＣＫの送信を行なう。また、ステップＳ１２において、制御データ５１の再送回数５１ｃが最大再送回数又は再送終了を示す値であれば、合成データバッファ１４をクリアしそのデータの再送制御を終了する（Ｓ１３）。
【００３４】
なお、保護段数Ｎ＝０であった場合には、初回送信時の変調パラメータが初回時のものよりも低伝搬路品質のものであるかどうかチェックし、そうであった場合には、保護動作を行わず、直ちに再送を停止する。
【００３５】
このように、この実施の形態例によれば、再送時の変調パラメータと初回送信時の変調パラメータとを比較手段により比較し、再送時の変調パラメータが初回時のものよりも低伝搬路品質のものであった場合に、再送を停止することにより、無駄な再送パケットの送信を防ぎ、効率的な無線リソースの使用を可能とすることができる。
【００３６】
また、Ｎ段の保護回路を設け、Ｎ回再送しても変調パラメータが改善しない場合に、再送を停止し、無駄な再送パケットの送信を防ぎ、効率的な無線リソースの使用を可能とすることができる。Ｎ段の保護回路を設けた場合、再送データがたまたま瞬時的におかしくなった場合等において、データ再送が停止されるのを防止することができる。瞬時的な再送データの不具合は、Ｎ回の保護回路動作により救済することができるからである。
【００３７】
図５は本発明の第２の実施の形態例を示すブロック図である。図１と同一のものは、同一の符号を付して示す。図５に示す実施の形態例は、図１におけるＡＭＣ比較部７をＳＩＲ劣化計測部１５に置き換え、更に再送終了判定テーブル１６を設けたものである。それ以外のものは、図１と同一である。特に、受信局３０は、図１と同じである。
【００３８】
ＳＩＲ劣化計測部１５は、ＡＭＣ制御部６からＳＩＲ信号を受けてＳＩＲの劣化を計算する。再送制御部５は、ＳＩＲ劣化計測部１５からの信号を基に再送終了判定テーブル１６の内容を参照して再送制御を行なう。
【００３９】
図６は再送終了判定テーブル１６の構成例を示す図である。再送終了判定テーブル１６は、初回送信時の変調パラメータセットと、再送終了判定閾値と、再送終了判定から構成されている。初回送信時の変調パラメータセットは、＃０〜＃７までの８個あるものとする。それぞれの変調パラメータセットに対して、再送終了判定閾値（ＳＩＲ劣化量閾値）は変調パラメータセットに対して、＃０〜＃７まで設けられている。
【００４０】
ＳＩＲ劣化量は、例えば前回送信時のＳＩＲ値がＡ１、今回のＳＩＲ値がＡ２であった場合、｜Ａ１−Ａ２｜で表される。この｜Ａ１−Ａ２｜を閾値と比較することになる。判定方法は、ＳＩＲ劣化量が閾値よりも大きい場合には再送終了し、ＳＩＲ劣化量が閾値よりも小さい場合には再送を継続するものである。なお、パラメータセット＃０〜＃７にいくに従い、ＳＩＲが高くなるようになっている。ＳＩＲが低い場合には伝送スループットが小さく、ＳＩＲが高い場合には伝送スループットが大きい。
【００４１】
このように構成された装置の動作を説明すれば、以下の通りである。図７は送信局の動作を示すフローチャートである。受信局の動作は、図４に示すものと同じである。
送信局２０において、再送制御部５は受信局３０から送られてくるＡＣＫ／ＮＡＣＫ情報により初回送信データか再送データかが決定される（Ｓ１）。データがＡＣＫ（新規データ）である場合再送制御部５は送信データ１を、データがＮＡＣＫである場合、送信データバッファ２のデータを選択する。
【００４２】
初回送信データの場合、送信データを送信データバッファ２に格納する（Ｓ２）。ＡＭＣ制御部６において、受信局３０からの伝搬路品質情報を受けて送信データの変調パラメータを決定し（Ｓ３）、再送制御部５と変調部３に通知する。再送制御部５では、変調パラメータを送信データバッファ２に格納し（Ｓ４）、再送制御データ５１を送信データに付加する（Ｓ５）。その後、送信データは続く変調部３で選択された変調パラメータで変調され（Ｓ６）、送信部４より送信される（Ｓ７）。
【００４３】
受信局３０から送られてくるデータが再送データであった場合、再送制御部５は再送回数をインクリメントし（Ｓ８）、初回送信時の送信データと、変調パラメータと、初回ＳＩＲ値を送信データバッファ２より読み出す（Ｓ９）。次に、品質測定部１２から送られてくるＳＩＲ値をＳＩＲ劣化計測部１５に取り込み、初回送信時からのＳＩＲ劣化量を計測する（Ｓ１０）。
【００４４】
再送制御部５では、ＳＩＲ劣化計測部１５からのＳＩＲ劣化量と、初回送信時の変調パラメータを基に再送終了判定テーブル１６から変調パラメータ毎に予め用意する再送終了判定用の閾値を取得し、再送終了判定を行なう（Ｓ１１）。ＳＩＲ劣化量と閾値との比較結果により異なる動作となる（Ｓ１２）。
１）  ＳＩＲ劣化量≧閾値の場合、即ち、初回送信時よりも伝搬路状態が悪くなっていない場合、又は多少は伝搬路状態が悪くなっているが、再送処理は効果があると判断できる場合には、再送回数をインクリメントした再送制御データ５１を送信データに付加し（Ｓ５）、変調部３で変調したデータ（Ｓ６）を送信部４より送信する（Ｓ７）。
【００４５】
また、再送回数をインクリメントした場合、ステップＳ１３で最大再送回数に達したかどうかをチェックし、最大再送回数になった場合には、送信データバッファ２をクリアし（Ｓ１４）、その送信データの再送制御を終了する。
２）  初回送信時からのＳＩＲ劣化計測値（瞬時ＳＩＲ値による計測）が、該当パラメータの閾値以上の場合、即ち初回送信時よりも伝搬路状態が著しく悪くなっており、以降の再送処理を継続しても効果を得るのは困難であると判断できる場合、再送終了と判定するＲをカウントする（Ｓ１５）。ここで、Ｒは図７のシーケンスで再送終了と連続で判定した回数である。判定結果が１）でＲカウント値はリセットされる。
【００４６】
次に、再送制御部５はＲ≧Ｎ（保護回数）であるかどうかをチェックする（Ｓ１６）。そうであった場合には、再送回数を再送終了を示す値（最大再送回数）に設定した（Ｓ１７）再送制御データを送信データに付加し（Ｓ５）、変調部３で変調し（Ｓ６）、送信部４より送信する（Ｓ７）。また、送信データバッファ２をクリアし、その送信データの再送制御が終了する（Ｓ１８：強制終了）。
【００４７】
なお、保護段数Ｎ＝０であった場合には、ＳＩＲ劣化量と閾値とを比較し、ＳＩＲ劣化量≧閾値の場合には、保護動作を行わず、直ちに再送を停止する。
この実施の形態例によれば、伝搬路品質劣化量と判定閾値による再送終了判定に連続Ｎ段の保護回路を設けることにより、Ｎ回送信しても伝搬路品質が改善されなかった場合に再送を停止することにより、無駄な再送パケットの送信を防ぎ、効率的な無線リソースの使用を可能とすることができる。
【００４８】
従来技術では、再送パケットを送信する際の変調パラメータは、Ｈ-ＡＲＱ合成を正常に行なう都合上、再送パケット送信時の伝搬路状態に関係なく、新規データ送信時の変調パラメータにて処理を行なう必要があり、この場合、伝搬路状態が新規データ送信時から著しく悪化した場合、多くの受信誤りが発生し、合成による品質改善が望めなくなる。その結果、品質改善が望めないにも関わらず、再送データの送信を行なうという状態が発生するため、無駄に無線リソースを利用してしまう。
【００４９】
本発明によれば、パケットの初回送信時と再送時の伝搬路状態が異なった場合に無駄な再送パケットの送信を防ぎ効率的な無線リソースの使用を可能（現状の伝搬路状態に最適な変調パラメータによる新規パケットデータの送信に割り当てる等）とする効果が得られる。また、再送を強制終了させたパケットデータは、正常受信できていないため、上位レイヤにて救済され、本発明のパケット送受信間では新規データとして現状の伝搬路状態に最適な変調パラメータにて再送信されることになる。
【図面の簡単な説明】
【００５０】
【図１】本発明の第１の実施の形態例を示すブロック図である。
【図２】送信局から受信局へのデータフォーマット例を示す図である。
【図３】送信局の動作を示すフローチャートである。
【図４】受信局の動作を示すフローチャートである。
【図５】本発明の第２の実施の形態例を示すブロック図である。
【図６】再送終了判定テーブルの構成例を示す図である。
【図７】送信局の動作を示すフローチャートである。
【符号の説明】
【００５１】
１    送信データ
２    送信データバッファ
３    変調部
４    送信部
５    再送制御部
６    ＡＭＣ制御部
７    ＡＭＣ比較部
８    受信部
９    復調部
１０  再送合成部
１１  データ判定部
１２  品質測定部
１３  再送制御部
１４  合成データバッファ
２０  送信局
３０  受信局
【図１】
0004838041.tif 000002
【図２】
0004838041.tif 000003
【図３】
0004838041.tif 000004
【図４】
0004838041.tif 000005
【図５】
0004838041.tif 000006
【図６】
0004838041.tif 000007
【図７】
0004838041.tif 000008